(57)【要約】【課題】ユーザーの生活シーンにより合致した作動を行う２４時間換気システムを提供する。【解決手段】２４時間換気モードと、各ファンを個別にオンオフ操作することのできるローカル換気モードとの間で切換え操作を行う第１操作部７と、各ファンを個別にオンオフ操作する第２操作部９とが備えられている。自動モードが備えられ、また、自動モードが備えられ、センサー８と制御部６によって自動で各種モードの切換えが行われるようになっている。【選択図】      図１
2007101077.tif 000002
【特許請求の範囲】
【請求項１】
複数のファンの協働により屋内を２４時間換気するようになされた２４時間換気システムにおいて、
２４時間換気モードと、各ファンを個別にオンオフ操作することのできるローカル換気モードとの間で切換え操作を行う第１操作部と、
各ファンを個別にオンオフ操作する第２操作部と
が備えられていることを特徴とする２４時間換気システム。
【請求項２】
複数のファンの協働により屋内を２４時間換気するようになされた２４時間換気システムにおいて、
屋内の空気環境を検知するセンサーと、
該センサーからの信号に基づいて、屋内の２４時間換気が必要と判断したとき２４時間換気モードにし、屋内の２４時間換気が不要と判断したとき、各ファンを個別にオンオフ操作することのできるローカル換気モードにする制御を行う制御部と
が備えられていることを特徴とする２４時間換気システム。
【請求項３】
１つのファン又は複数のファンの協働により屋内を２４時間換気するようになされた２４時間換気システムにおいて、
屋内の空気環境を検知するセンサーと、
該センサーからの信号に基づいて、屋内の２４時間換気が必要と判断したとき２４時間換気モードにし、屋内の２４時間換気が不要と判断したとき、ファンをオフにする制御を行う制御部と
が備えられていることを特徴とする２４時間換気システム。
【請求項４】
１つのファン又は複数のファンの協働により屋内を２４時間換気するようになされた２４時間換気システムにおいて、
２４時間換気モードとして、換気量の異なる複数の２４時間換気モードが備えられ、
屋内の空気環境を検知するセンサーと、
該センサーからの信号に基づいて、いずれかの２４時間換気モードに切り換える制御を行う制御部と
が備えられていることを特徴とする２４時間換気システム。
【請求項５】
１つのファン又は複数のファンの協働により屋内を２４時間換気するようになされた２４時間換気システムにおいて、
２４時間換気モードと、該２４時間換気モードの換気量よりも大きい換気量の夏季外出中排熱モードとの間で切換え操作を行う操作部が備えられていることを特徴とする２４時間換気システム。
【発明の詳細な説明】
【技術分野】
【０００１】
本発明は、２４時間換気システムに関する。
【背景技術】
【０００２】
２４時間換気システムとして、１つの２４時間換気モードを備え、そのオンオフの切換え操作を行えるようになっているものは、従来より提供されている。
【発明の開示】
【発明が解決しようとする課題】
【０００３】
しかしながら、そのような２４時間換気システムでは、ユーザーの生活シーンと合致しにくい面が多いという問題がある。例えば、中間期や夏季の窓明け通風時には、換気は必要箇所を局所的に行えばよいのに、オンにしたままにしてエネルギーの無駄を生じさせたり、オフにしたままにして必要箇所の換気がなされないという事態を招きやすい。また、従来の２４時間換気システムでは、冬季の暖房等による結露を有効的に防止するようには作動しないし、夏季外出中に屋内にこもる熱を有効的に排出するようにも作動しない。
【０００４】
本発明は、上記のような問題点に鑑み、ユーザーの生活シーンにより合致した作動を行う２４時間換気システムを提供することを課題とする。
【課題を解決するための手段】
【０００５】
上記の課題は、複数のファンの協働により屋内を２４時間換気するようになされた２４時間換気システムにおいて、
２４時間換気モードと、各ファンを個別にオンオフ操作することのできるローカル換気モードとの間で切換え操作を行う第１操作部と、
各ファンを個別にオンオフ操作する第２操作部と
が備えられていることを特徴とする２４時間換気システムによって解決される（第１発明）。
【０００６】
このシステムでは、例えば、中間期や夏季の窓明け通風時には、第１操作部でローカル換気モードに切り換え、必要に応じて第２操作部に対する操作を行うことによって必要箇所を必要に応じて局所的に換気することができ、エネルギーの無駄を生じさせることなく必要な換気状態を形成することができて、２４時間換気システムをユーザーの生活シーンにより合致したものにすることができる。
【０００７】
また、上記の課題は、複数のファンの協働により屋内を２４時間換気するようになされた２４時間換気システムにおいて、
屋内の空気環境を検知するセンサーと、
該センサーからの信号に基づいて、屋内の２４時間換気が必要と判断したとき２４時間換気モードにし、屋内の２４時間換気が不要と判断したとき、各ファンを個別にオンオフ操作することのできるローカル換気モードにする制御を行う制御部と
が備えられていることを特徴とする２４時間換気システムによって解決される（第２発明）。
【０００８】
このシステムでは、センサーとして、例えば二酸化炭素センサー等を使用すれば、例えば、中間期や夏季の窓明け通風時において、センサーが屋内の二酸化炭素量が少ないことを検知してローカル換気モードに切り換える制御が行われ、該ローカル換気モードにおいて、操作によって必要箇所を必要に応じて局所的に換気することができ、エネルギーの無駄を生じさせることなく必要な換気状態を形成することができ、２４時間換気システムをユーザーの生活シーンにより合致したものにすることができると共に、２４時間換気モードとローカル換気モードとの制御による自動的な切り換わりによって、適時のモード切換えを実現することができる。
【０００９】
また、上記の課題は、１つのファン又は複数のファンの協働により屋内を２４時間換気するようになされた２４時間換気システムにおいて、
屋内の空気環境を検知するセンサーと、
該センサーからの信号に基づいて、屋内の２４時間換気が必要と判断したとき２４時間換気モードにし、屋内の２４時間換気が不要と判断したとき、ファンをオフにする制御を行う制御部と
が備えられていることを特徴とする２４時間換気システムによって解決される（第３発明）。
【００１０】
このシステムでは、センサーとして、例えば二酸化炭素センサー等を使用すれば、例えば、中間期や夏季の窓明け通風時や、中間期や冬季の外出時等において、センサーが屋内の二酸化炭素量が少ないことを検知してファンをオフにする制御が行われ、エネルギーの無駄を生じさせることがなく、２４時間換気システムをユーザーの生活シーンにより合致したものにすることができると共に、制御による自動的な切り換わりによって適時の切換えを実現することができる。
。
【００１１】
また、上記の課題は、１つのファン又は複数のファンの協働により屋内を２４時間換気するようになされた２４時間換気システムにおいて、
２４時間換気モードとして、換気量の異なる複数の２４時間換気モードが備えられ、
屋内の空気環境を検知するセンサーと、
該センサーからの信号に基づいて、いずれかの２４時間換気モードに切り換える制御を行う制御部と
が備えられていることを特徴とする２４時間換気システムによって解決される（第４発明）。
【００１２】
このシステムでは、センサーとして、例えば、ニオイセンサー等を使用すれば、例えば、喫煙時等において、センサーが屋内のニオイを検知して換気量を多くする制御が行われると共に、ニオイが排出されれば換気量を少なくする制御が行われる。また、センサーとして、例えば、埃センサー等を使用すれば、空気中の埃量に応じて換気量の異なる２４時間換気モードに切り換える制御が行われる。更に、センサーとして、例えば、湿度センサー等を使用すれば、例えば、冬季の屋内の湿度が結露を生じさせるような湿度となったとき、センサーがそれを検知して換気量を多くする制御が行われ、湿度が低下すると換気量を少なくする制御が行われる。こうして、２４時間換気システムをユーザーの生活シーンにより合致したものにすることができると共に、各２４時間換気モードの制御による自動的な切り換わりによって適時のモード切換えを実現することができる。
【００１３】
また、上記の課題は、１つのファン又は複数のファンの協働により屋内を２４時間換気するようになされた２４時間換気システムにおいて、
２４時間換気モードと、該２４時間換気モードの換気量よりも大きい換気量の夏季外出中排熱モードとの間で切換え操作を行う操作部が備えられていることを特徴とする２４時間換気システムによって解決される（第５発明）。
【００１４】
このシステムでは、夏季に防犯のため建物を閉め切って外出するような場合に、外出時に、操作部に対する操作で夏季外出中排熱モードにしておけば、帰宅時に蒸し暑さを感じることなく屋内に入ることができ、２４時間換気システムをユーザーの生活シーンにより合致したものにすることができる。
【発明の効果】
【００１５】
本発明の２４時間換気システムは、以上のとおりのものであるから、ユーザーの生活シーンにより合致した作動を行うことができる。
【発明を実施するための最良の形態】
【００１６】
次に、本発明の実施最良形態を図面に基づいて説明する。
【００１７】
図１及び図２に示す実施形態の２４時間換気システムは、２階建ての戸建て住宅に適用した場合のもので、図１（イ）に示すように、建物の内部において、一階便所１、図示しない一階洗面室、二階便所２及び二階階段室３の天井側には、換気用の複数のファン４…，５が設けられると共に、一階居室１１には自然吸気口１３が、また、二階居室１２には強制給気口１４が設けられ、各室は空気の行き来ができるようになされて、ファン４…，５の駆動により、屋内が２４時間換気されるようになされている。また、図示しない浴室と台所には、２４時間換気中でも個別にオンオフ操作することのできる局所換気用の換気ファンが備えられている。
【００１８】
上記の２４時間換気システムには、運転モードとして、図２に示すように、２４時間換気モードである通常モードと、ローカル換気モードと、自動モードと、夏季外出中排熱モードとが備えられている。
【００１９】
通常モードは、２４時間換気を行うすべてのファン４…，５を駆動状態にするモードであり、ローカル換気モードは、各ファン４…，５を個別にオンオフ操作することのできるモードで、各ファン４…，５は他モードからの切り換わりによってまずオフになる。夏季外出中排熱モードは、２４時間換気を行うすべてのファン４…，５が駆動状態で、かつ、二階階段室３の天井側のファン５による換気量が大、更に、局所換気のための浴室ファンもオンになる。
【００２０】
また、自動モードには、ローカル換気モードと、弱モードと、通常モードと、急速モードとが備えられている。ローカル換気モードは、各ファン４…，５を個別にオンオフ操作することのできるモードで、各ファン４…，５は他モードからの切り換わりによってまずオフになる。弱モードは、通常の２４時間換気モードよりも少ない換気量で２４時間換気を行うモードであり、一階洗面室のファンが個別にオンオフ操作することのできるオフ状態になると共に、二階階段室３の天井側のファン５による換気量が小になる。急速モードは、通常の２４時間換気モードよりも多い換気量で２４時間換気を行うモードであり、局所換気のための浴室ファンもシステムに組み込まれてオンになるモードである。
【００２１】
そして、これらモードの切換えのため、図１（ロ）に示すように、制御部６が備えられ、該制御部６は、第１操作部７に対するマニュアル操作によって、通常モードと、ローカル換気モードと、自動モードと、夏季外出中排熱モード間の切換えを行うことができるようになされている。また、屋内の空気環境を検知するセンサー８が備えられ、該センサー８からの信号に基づいて、制御部６が自動モードにおける各モード間の切換えを行うようになされている。
【００２２】
上記の２４時間換気システムでは、通常モードにおいて、中間期や夏季の窓明け通風時に、第１操作部７でローカル換気モードへの切換えを行うと、２４時間換気を構成するすべてのファン４…，５がオフになり、必要に応じて第２操作部９に対する操作を行って一部のファンをオンにすれば、必要箇所のみが局所的に換気されて、エネルギーの無駄を生じさせることなく必要な局所換気状態を形成することができる。
【００２３】
また、夏季に防犯のために建物を閉め切って外出するような場合は、外出時に、第１操作部７に対する操作で夏季外出中排熱モードに切り換えれば、帰宅時に蒸し暑さを感じることなく屋内に入ることができる。
【００２４】
そして、センサー８として二酸化炭素センサーが用いられ、屋内の二酸化炭素濃度がセンサー８で検知されるようになっている場合は、中間期や夏季の窓明け通風時、あるいは、中間期や冬季の外出時において、第１操作部７に対する操作で自動モードにしておけば、センサー８が屋内の二酸化炭素量を検知して弱モードやローカル換気モードに切り換わる制御が行われ、エネルギーの無駄を生じさせることがなく、また、各モードの制御による自動的な切り換わりによって適時のモード切換えが実現される。そして、中間期や夏季の窓明け通風時に、自動モードにおいて、ローカル換気モードに切り換った場合は、必要に応じて第２操作部９に対する操作を行って一部のファンをオンにすれば、必要箇所のみが局所的に換気されて、必要な局所換気状態を形成することもできる。
【００２５】
また、センサー８としてニオイセンサーや埃センサーが用いられ、屋内のニオイや埃の量がセンサー８で検知されるようになっている場合は、第１操作部７に対する操作で自動モードに切り換えておけば、屋内のニオイや埃の量に応じて、通常モードと急速モードとの間でモードが切り換わり、屋内のニオイや埃が急速に排出される。
【００２６】
更に、センサー８として湿度センサーが用いられ、屋内の湿度がセンサー８に検知されるようになっている場合は、冬季に、第１操作部７に対する操作で自動モードに切り換えておけば、建物内の湿度が結露を生じさせるような湿度となったとき、センサー８がそれを検知して通常モードから急速モードに切り換わる制御が行われて、結露が防がれる。
【００２７】
以上に、本発明の実施形態を示したが、本発明はこれに限られるものではなく、発明思想を逸脱しない範囲で各種の変更が可能である。例えば、上記の実施形態では、操作によって切り換えられるモードとして、通常モード、ローカルモード、自動モード及び夏季外出中排熱モードの４つのモードを備えたものを示したが、本発明では、操作によって切り換えられるモードとして、これらモードのうちの、通常モードを含む少なくとも２つのモードが備えられたものであってよい。
【００２８】
また、本発明の２４時間換気システムは、自動モードだけを備えて、操作による切換えが不能であるか、あるいは、操作による切換えはオンオフのみのものであってもよい。そして、その場合の自動モードとしては、ローカルモード、弱モード、通常モード及び急速モードのうちの、通常モードを含む少なくとも２つのモードが備えられたものであってよいし、その他、自動モードは、通常モードと、ファンを個別にオンオフ切換え操作することができないオフモードとを含む少なくとも２つのモードを備えたものであってもよい。
【００２９】
更に、上記の実施形態では、ローカル換気モードは、他モードからの切り換わりによって２４時間換気を構成する各ファンがまずオフになる場合を示したが、まずオンになるものであってもよいし、まず一部オン一部オフになるものであってもよい。
【００３０】
また、本発明では、２４時間換気を構成するファンの数やファンの配置等に制限はないし、また、戸建て住宅に限らず、マンション等に用いることも可能であり、更に、第３〜第５発明では、２４時間換気を構成するファンの数が一つであってもよい。
【図面の簡単な説明】
【００３１】
【図１】図（イ）は実施形態の２４時間換気システムが組み込まれた建物の切断正面図、図（ロ）は操作・制御系を示す説明図である。
【図２】各モードとファンの作動状態との関係を示す説明図である。
【符号の説明】
【００３２】
４…ファン
５…ファン
６…制御部
７…第１操作部
８…センサー
９…第２操作部
【図１】
2007101077.tif 000003
【図２】
2007101077.tif 000004